(57)【要約】【課題】ログインユーザーがログアウト操作を忘れて立ち去った場合に、ログイン中に他ユーザーによって不正使用されたかどうかを確認できるようにする。【解決手段】実行したジョブのジョブ履歴１４２をユーザー毎に記憶する画像形成装置１は、ユーザーの識別情報の入力を受け付ける操作部１１と、入力された識別情報が予め登録されたユーザー情報１４１と一致した場合に、ユーザーのログイン処理を実行する認証部１９１と、操作部１１を操作するユーザーを撮像可能な位置に設けられた撮像部１２と、認証部１９１によりユーザーのログアウト処理が実行された場合に、撮像部１２を制御して撮像させる撮像制御部１９３と、ログアウト処理によりログアウトしたユーザーがアクセス可能なアドレスに、撮像部１２により撮像された撮像画像３１とログアウト処理の直前に実行されたジョブのジョブ履歴１４２とを送信するジョブ履歴送信部１９４とを備えている。【選択図】図１
2019055556.tif 000002
【特許請求の範囲】
【請求項１】
実行したジョブのジョブ履歴をユーザー毎に記憶する画像形成装置であって、
前記ユーザーの識別情報の入力を受け付ける操作部と、
入力された前記識別情報が予め登録されたユーザー情報と一致した場合に、前記ユーザーのログイン処理を実行する認証部と、
前記操作部を操作するユーザーを撮像可能な位置に設けられた撮像部と、
前記認証部により前記ユーザーのログアウト処理が実行された場合に、前記撮像部を制御して撮像させる撮像制御部と、
前記ログアウト処理によりログアウトした前記ユーザーがアクセス可能なアドレスに、前記撮像部により撮像された撮像画像と前記ログアウト処理の直前に実行されたジョブの前記ジョブ履歴とを送信するジョブ履歴送信部と
を備えたことを特徴とする画像形成装置。
【請求項２】
前記ジョブ履歴送信部は、
前記ログアウト処理の直前に実行された前記ジョブが機密情報を含む場合に限って、前記撮像画像と前記ログアウト処理の直前に実行された前記ジョブの前記ジョブ履歴とを送信する
ことを特徴とする請求項１に記載の画像形成装置。
【請求項３】
前記撮像画像から前記ユーザーを検出するユーザー検出部を備え、
前記撮像制御部は、
ログインしたユーザーの最初のジョブが実行された場合と、前記ログインしたユーザーの前記ログアウト処理が実行された場合の両方で前記撮像部に撮像させ、
前記ジョブ履歴送信部は、
前記最初のジョブが実行された場合に撮像された前記撮像画像から前記ユーザー検出部により検出されたユーザーと、前記ログアウト処理が実行された場合に撮像された前記撮像画像から前記ユーザー検出部により検出されたユーザーとが異なる場合に限って、前記ログアウト処理が実行された場合に撮像された前記撮像画像と前記ログアウト処理の直前に実行された前記ジョブの前記ジョブ履歴とを送信する
ことを特徴とする請求項１又は２に記載の画像形成装置。
【請求項４】
実行したジョブのジョブ履歴をユーザー毎に記憶する画像形成装置により実行される画像形成方法であって、
前記ユーザーの識別情報の入力を受け付け、
入力された前記識別情報が予め登録されたユーザー情報と一致した場合に、前記ユーザーのログイン処理を実行し、
前記ユーザーのログアウト処理が実行された場合に、操作するユーザーを撮像可能な位置に設けられた撮像部を制御して撮像させ、
前記ログアウト処理によりログアウトした前記ユーザーがアクセス可能なアドレスに、前記撮像部により撮像された撮像画像と前記ログアウト処理の直前に実行されたジョブの前記ジョブ履歴とを送信する
を備えたことを特徴とする画像形成方法。
【発明の詳細な説明】
【技術分野】
【０００１】
本発明は、ユーザー毎のジョブ履歴を管理する画像形成装置及び画像形成方法に関する。
【背景技術】
【０００２】
複写機や複合機等の画像形成装置においては、ユーザー認証を行って、実行したジョブのジョブ情報をユーザー毎に管理している。ログインユーザーがログアウト操作を忘れて立ち去った場合、画像形成装置により自動的にログアウト処理が実行されるまで、他ユーザーはログイン中のユーザーとして画像形成装置を使用できることになる。この場合、他ユーザーによって実行されたジョブが、ログアウト操作を忘れたユーザーのジョブとしてジョブ履歴に不正に記録されて問題となる。そこで、ユーザー認証に使用するカードがＲＦＩＤリーダーから取り外されたことを検出すると、ログアウト操作がなくても、ログインしているユーザーのログアウト処理を実行する技術が提案されている（例えば、特許文献１を参照）。
【先行技術文献】
【特許文献】
【０００３】
【特許文献１】特開２０１１−６０２３９号公報
【発明の概要】
【発明が解決しようとする課題】
【０００４】
しかしながら、従来技術では、ユーザーの数だけカードを用意する必要があり、システム構成面で制約になることがあったという問題があった。そのため、ログインユーザーがログアウト操作を忘れて立ち去った場合に、他ユーザーによって不正使用されたかどうかを確認できるようにする必要があった。
【０００５】
本発明は上記課題に鑑みてなされたものであり、ログインユーザーがログアウト操作を忘れて立ち去った場合に、ログイン中に他ユーザーによって不正使用されたかどうかを確認することができる技術を提供することを目的とする。
【課題を解決するための手段】
【０００６】
本発明の画像形成装置は、実行したジョブのジョブ履歴をユーザー毎に記憶する画像形成装置であって、前記ユーザーの識別情報の入力を受け付ける操作部と、入力された前記識別情報が予め登録されたユーザー情報と一致した場合に、前記ユーザーのログイン処理を実行する認証部と、前記操作部を操作するユーザーを撮像可能な位置に設けられた撮像部と、前記認証部により前記ユーザーのログアウト処理が実行された場合に、前記撮像部を制御して撮像させる撮像制御部と、前記ログアウト処理によりログアウトした前記ユーザーがアクセス可能なアドレスに、前記撮像部により撮像された撮像画像と前記ログアウト処理の直前に実行されたジョブの前記ジョブ履歴とを送信するジョブ履歴送信部とを備えたことを特徴とする。
また、前記ジョブ履歴送信部は、前記ログアウト処理の直前に実行された前記ジョブが機密情報を含む場合に限って、前記撮像画像と前記ログアウト処理の直前に実行された前記ジョブの前記ジョブ履歴とを送信してもよい。
また、前記撮像画像から前記ユーザーを検出するユーザー検出部を備え、前記撮像制御部は、ログインしたユーザーの最初のジョブが実行された場合と、前記ログインしたユーザーの前記ログアウト処理が実行された場合の両方で前記撮像部に撮像させ、前記ジョブ履歴送信部は、前記最初のジョブが実行された場合に撮像された前記撮像画像から前記ユーザー検出部により検出されたユーザーと、前記ログアウト処理が実行された場合に撮像された前記撮像画像から前記ユーザー検出部により検出されたユーザーとが異なる場合に限って、前記ログアウト処理が実行された場合に撮像された前記撮像画像と前記ログアウト処理の直前に実行された前記ジョブの前記ジョブ履歴とを送信してもよい。
本発明の画像形成方法は、実行したジョブのジョブ履歴をユーザー毎に記憶する画像形成装置により実行される画像形成方法であって、前記ユーザーの識別情報の入力を受け付け、入力された前記識別情報が予め登録されたユーザー情報と一致した場合に、前記ユーザーのログイン処理を実行し、前記ユーザーのログアウト処理が実行された場合に、操作するユーザーを撮像可能な位置に設けられた撮像部を制御して撮像させ、前記ログアウト処理によりログアウトした前記ユーザーがアクセス可能なアドレスに、前記撮像部により撮像された撮像画像と前記ログアウト処理の直前に実行されたジョブの前記ジョブ履歴とを送信してもよい。
【発明の効果】
【０００７】
本発明によれば、ログインユーザーがログアウト操作を忘れて立ち去った場合に、ログイン中に他ユーザーによって不正使用されたかどうかを確認することができる。
【図面の簡単な説明】
【０００８】
【図１】本発明に係る実施形態の画像形成装置の概略構成を示す機能ブロック図である。
【図２】図１に示す操作部の取り付け構造を示す外観斜視図である。
【図３】図１に示すジョブ履歴の記憶例である。
【図４】図１に示すジョブ履歴送信部が送信するメールの内容を示した図である。
【図５】図１に示す画像形成装置の画像形成処理の流れを示すフローチャートである。
【発明を実施するための形態】
【０００９】
以下、図を参照して本発明の実施の形態を詳細に説明する。なお、以下の実施の形態において、同様の機能を示す構成には、同一の符号を付してある。
【００１０】
図１に示すように、画像形成装置１は、原稿を読み取って原稿画像を取得するスキャンジョブ、原稿画像を記録紙に記録する複写ジョブ、原稿画像をファクシミリ送信するファクシミリ送信ジョブ、原稿画像をインターネット等のネットワーク経由で送信するネットワーク送信ジョブ、ネットワーク経由で受信した原稿画像を印刷する印刷ジョブ等の画像形成動作を実行する複合機である。画像形成装置１は、操作部１１と、撮像部１２と、原稿読取部１３と、記憶部１４と、画像処理部１５と、印刷部１６と、通信部１７と、ファクス部１８と、制御部１９とを備えている。
【００１１】
操作部１１は、図２に示すように、画像形成装置１の手前側に配置され、タッチパネル１１１と、各種の操作ボタン１１２を備えている。ユーザーは操作部１１を操作して指示を入力することで、画像形成装置１の各種の設定を行い、画像形成等の各種機能を実行させる。
【００１２】
操作部１１は、画像形成装置１に設けられた支持部材４ａによって画像形成装置１の全面に回動可能に取り付けられてもよい。操作部１１の回動軸４ｂは、画像形成装置１の左右方向（画像形成装置１が水平に設置されている場合には水平方向）に配置されている。これにより、操作部１１の角度を、ユーザーの身長等によって異なる目線位置に応じて調整可能となり、視認性が向上される。
【００１３】
また、操作部１１は、不図示のログイン画面を表示し、ログイン画面を介してユーザーの識別情報の入力を受け付ける。ユーザーの識別情報は、ユーザーＩＤ等であってもよい。ログインしたユーザーは、操作部１１に設けられたログアウトボタン１１２ａを操作することにより手動でログアウトすることができる。
【００１４】
撮像部１２は、カメラ等で構成され、操作部１１を操作するユーザーを撮像可能な位置に設けられている。例えば、撮像部１２は、図２に示すように、操作部１１に設けられても良い。これによれば、ユーザーが操作部１１の角度を操作しやすい位置に調整した場合に、撮像部１２もユーザーの顔を正面から撮像可能な位置となることができる。
【００１５】
原稿読取部１３は、原稿を読み取るスキャナーを備えている。スキャナーは、例えば、ＬＥＤ（Light Emitting Diode）等を用いた光源と、ＣＣＤ（Charge Coupled Device）やＣＭＯＳ（Complementary Metal Oxide Semiconductor）等からなる主走査方向に配置されたラインセンサーとを備え、副走査方向に移動しながら原稿を読み取る。
【００１６】
記憶部１４は、半導体メモリーやＨＤＤ（Hard Disk Drive）等の記憶手段である。記憶部１４は、原稿読取部１３によって原稿を読み取ることで取得された画像データや、通信部１７を介して外部端末等から受信した画像データ等が印刷データとして記憶される。また、記憶部１４には、各種の管理情報が記憶されており、管理情報として、ユーザー情報１４１が記憶されていると共に、ユーザーによる画像形成装置１の使用状況がジョブ履歴１４２として記憶される。ユーザー情報１４１は、ユーザーのメールアドレスを含めて記憶されている。
【００１７】
図３は、ジョブ履歴１４２の蓄積例である。ジョブ履歴１４２は、ユーザー名、ジョブ種別、カラー種別、枚数、日付等を含む。ユーザー名は、ログインユーザーの名前であり、ジョブの実行者として記録される。ジョブ種別は、ユーザーにより実行されたジョブの種別を示し、スキャンジョブ、複写ジョブ、ファクシミリ送信ジョブ、ネットワーク送信ジョブ、印刷ジョブ等がある。カラー種別には、白黒、カラーがある。日付は、ジョブの実行日時である。この他にも、ジョブ履歴１４２は、ユーザーの所属部署名や、印刷に使用したトナー使用量、イメージログ等を含んでも良い。
【００１８】
画像処理部１５は、画像データに対して所定の画像処理を行う手段であり、例えば、拡大縮小処理や、階調調整、濃度調整等の画像処理が行われる。
【００１９】
印刷部１６は、記憶部１４に記憶された印刷データを記録紙に印刷する印刷手段である。印刷部１６は、例えば、記憶部１４から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。また、印刷部１６は、シアン、マゼンダ、イエロー、ブラック等のトナーを用いてそれぞれトナー像を形成する機能を有し、これらのトナー像を重ね合わせて記録紙に定着させることで、フルカラー印刷に対応している。
【００２０】
通信部１７は、ＬＡＮ（Local Area Network）等のネットワークを介して、インターネットに接続したり、外部端末との間で各種データを送受信したりする機能を有する。
【００２１】
ファクス部１８は、モデムを有し、原稿読取部１３によって読み取られた画像データ等からファクシミリ信号を生成し、生成したファクシミリ信号を電話回線網等のネットワークを介して送信する機能と、電話回線網を介してファクシミリ信号を受信し、受信したファクシミリ信号から画像データを生成する機能とを備えている。
【００２２】
制御部１９は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。
【００２３】
制御部１９のＣＰＵは、ＲＯＭに記憶されている制御プログラムを読み出し、制御プログラムをＲＡＭに展開させて実行することで、操作部１１から入力された所定の指示情報に応じて装置全体の制御を行う。また、制御部１９は、認証部１９１、ジョブ管理部１９２、撮像制御部１９３、ジョブ履歴送信部１９４として機能する。
【００２４】
認証部１９１は、操作部１１等から入力されたユーザーの識別情報と、ユーザー情報１４１とを照合することで、ユーザー認証を実施する。なお、撮像部１２によって撮影したユーザーの顔をユーザー情報１４１に登録された画像データと照合することで、ユーザー認証を実施してもよい。そして、認証部１９１は、ユーザー認証に成功すると、ログイン処理を実施し、認証されたユーザーをログインユーザーとして画像形成装置１の使用を許可する。また、認証部１９１は、ログアウトボタン１１２ａが押されたり、画像形成装置１が例えば１０分等の特定時間操作されなかったりした場合に、ログアウト処理を行い、ログイン中のユーザーをログアウトさせる。
【００２５】
ジョブ管理部１９２は、認証部１９１により画像形成装置１の使用が許可されると、操作部１１を介して実行対象とするジョブを受け付けて、受け付けたジョブを実行する。そして、ジョブ管理部１９２は、実行したジョブについて、ジョブを実行したユーザー名（ログインユーザー名）と、ジョブ種別と、カラー種別と、枚数と、実行時刻とをジョブ履歴１４２として記憶部１４に記憶させる。なお、本実施の形態においてジョブの枚数は、スキャンジョブではスキャン枚数、複写ジョブ及び印刷ジョブでは印刷枚数、ファクシミリ送信ジョブ及びネットワーク送信ジョブでは送信枚数がそれぞれジョブ履歴１４２として記憶される。
【００２６】
撮像制御部１９３は、撮像部１２を制御して撮像させる。例えば、撮像制御部１９３は、認証部１９１がログアウト処理を実行した場合に、撮像部１２に撮像させる。
【００２７】
ジョブ履歴送信部１９４は、認証部１９１によってログアウト処理が実行された場合に、ログアウト処理によってログアウトしたユーザーに、ログイン中に最後に実行したジョブのジョブ情報を報告する図４に示すメール３０を送信する。メール３０には、ログイン中に最後に実行したジョブのジョブ履歴１４２（最終ジョブ履歴）と、撮像部１２による撮像画像３１が含まれる。なお、最終ジョブ履歴だけでなく、ログイン中に実行された全ジョブのジョブ履歴１４２をメール３０で送信してもよいが、ユーザーの確認作業が煩雑であるため、ここでは最終ジョブ履歴のみとしている。
【００２８】
次に、図５を参照して、画像形成装置１の画像形成処理の流れを詳細に説明する。
【００２９】
まず、認証部１９１によりログイン処理が実行される（ｓ１１）。具体的には、ユーザーがユーザーＩＤ等の識別情報を操作部１１に入力すると、認証部１９１は、入力された識別情報をユーザー情報１４１と照合することでユーザー認証を実行する。そして、入力された識別情報がユーザー情報１４１に一致した場合に、認証部１９１は、ログイン処理を実行し、このユーザーに画像形成装置１の使用を許可する。
【００３０】
つづいて、ジョブ管理部１９２は、実行対象とするジョブを受け付けたか否かを判断する（ｓ１２）。ユーザーは、操作部１１を介して、記憶部１４に記憶された印刷データに基づいて印刷ジョブを設定したり、スキャンジョブ、複写ジョブ、ファクシミリ送信ジョブ及びネットワーク送信ジョブの設定を行ったりして、実行対象とするジョブを設定することができる。ユーザーが、例えば不図示のスタートボタンを押す等して、操作部１１からジョブの実行操作を行うと、ジョブ管理部１９２は、実行対象とするジョブを受け付ける（ｓ１２：Ｙｅｓ）。ユーザーが操作部１１から実行対象とするジョブを設定し、実行操作を行わなかった場合、ジョブ管理部１９２は、実行対象とするジョブを受け付けないままである（ｓ１２：Ｎｏ）。ジョブ管理部１９２が実行対象とするジョブを受け付けていない場合、ステップｓ１５に処理が進む。
【００３１】
ジョブ管理部１９２は、実行対象とするジョブを受け付けると（ｓ１２：Ｙｅｓ）、受け付けたジョブを実行する（ｓ１３）。これにより、印刷ジョブ、スキャンジョブ、複写ジョブ、ファクシミリ送信ジョブ及びネットワーク送信ジョブのいずれかが実行される。
【００３２】
つづいて、ジョブ管理部１９２は、実行したジョブのジョブ情報をログイン中のユーザーに関連付けてジョブ履歴１４２として記憶部１４に記憶する（ｓ１４）。例えば、ログインユーザーであるユーザーＣが、２０１７／９／７／１５：３０に印刷ジョブを実行したとする。この場合、図３に示すように、ジョブ履歴１４２として、ユーザー名：ユーザーＣ、ジョブ種別：印刷ジョブ、カラー種別：白黒、枚数：３枚、日付：２０１７／９／７／１５：３０が記録される。
【００３３】
つづいて、ジョブ管理部１９２は、認証部１９１によりログアウト処理が実行されたか否かを判断する（ｓ１５）。認証部１９１は、操作部１１のログアウトボタン１１２ａが操作されたり、操作部１１が特定時間操作されなかったりした場合に、ログアウト処理を実行することで（ｓ１５：Ｙｅｓ）、ログインユーザーをログアウトさせる。ログアウト処理が実行されない場合（ｓ１５：Ｎｏ）、ｓ１２に処理が戻る。この場合、画像形成装置１は、ログイン状態を維持しているので、ログイン操作なしに、引き続き、ジョブ管理部１９２が実行対象とするジョブを受付可能である。
【００３４】
そのため、ユーザーＣがログアウト操作なしに画像形成装置１から立ち去ってしまった場合、認証部１９１によりログアウト処理が実行されるまで、誰もがユーザーＣとして画像形成装置１の使用が可能となる。そのため、例えば、ユーザーＤが、ユーザーＣのログイン状態である画像形成装置１を使用してカラー印刷を行ったりすると、ユーザーＤにより実行された印刷ジョブのジョブ情報が、ユーザー名：ユーザーＣ、ジョブ種別：印刷ジョブ、カラー種別：カラー、枚数：１０枚、日付：２０１７／９／７／１５：３５のように、ユーザーＣのジョブ履歴１４２として記憶される。
【００３５】
認証部１９１によりログアウト処理が実行された場合（ｓ１５：Ｙｅｓ）、撮像制御部１９３は、撮像部１２を制御して撮影させる（ｓ１６）。これにより、操作部１１の手前にいるユーザーが撮影される。
【００３６】
つづいて、ジョブ履歴送信部１９４は、ログアウト処理によってログアウトしたユーザーの最後のジョブ履歴１４２を最終ジョブ履歴として記憶部１４から取得する（ｓ１７）。つづいて、ジョブ履歴送信部１９４は、ログアウト処理によってログアウトしたユーザーのメールアドレスをユーザー情報１４１から取得し、撮像部１２により撮像された撮像画像３１と、記憶部１４から取得した最終ジョブ履歴とを記載したメール３０を、直前にログインしていたユーザーに通信部１７経由で送信する（ｓ１８）。
【００３７】
これにより、ログイン操作を行ったユーザーは、画像形成装置１から送信されたメール３０を確認することで、自分のログイン中に他ユーザーが画像形成装置１を使用して実行したジョブが、自分のジョブ履歴１４２として不正に記録されていないかチェックすることができる。以上により、本処理が終了する。
【００３８】
以上説明したように、本実施の形態の画像形成装置１は、実行したジョブのジョブ履歴１４２をユーザー毎に記憶する画像形成装置１であって、ユーザーの識別情報の入力を受け付ける操作部１１と、入力された識別情報が予め登録されたユーザー情報１４１と一致した場合に、ユーザーのログイン処理を実行する認証部１９１と、操作部１１を操作するユーザーを撮像可能な位置に設けられた撮像部１２と、認証部１９１によりユーザーのログアウト処理が実行された場合に、撮像部１２を制御して撮像させる撮像制御部１９３と、ログアウト処理によりログアウトしたユーザーがアクセス可能なアドレスに、撮像部１２により撮像された撮像画像３１とログアウト処理の直前に実行されたジョブのジョブ履歴１４２とを送信するジョブ履歴送信部１９４とを備えたことを特徴とする。
【００３９】
このように、画像形成装置１は、ログアウト処理を実行したときに、撮像部１２により撮像した撮像画像３１と、ログアウト処理によりログアウトしたユーザーの最終ジョブ履歴とを、ログアウト処理の直前にログインしていたユーザーにメール３０で知らせることができる。したがって、ログイン操作を行ったユーザーがメール３０を確認することで、ログイン中に他ユーザーによって不正使用されたかどうかを確認することができる。
【００４０】
なお、上記実施の形態では、ジョブ履歴送信部１９４は、ユーザーがログアウトする度に、ログアウトしたユーザーにメール３０を送信することを説明した。しかし、これに限らず、特定の場合に制限して、ジョブ履歴送信部１９４がログアウトしたユーザーへメール３０を送信するようにしてもよい。
【００４１】
例えば、ジョブ履歴送信部１９４は、ログアウトしたユーザーの最後に実行されたジョブが機密情報を含むジョブである場合に限って、メール３０を送信してもよい。機密情報を含むジョブであるか否かは、ジョブ管理部１９２が実行対象のジョブを受け付ける際に、操作部１１を介して設定されても良い。また、ジョブ管理部１９２が、実行対象として受け付けるジョブの画像データにＯＣＲ（Optical Character Recognition）処理を実施して、例えば「ｃｏｎｆｉｄｅｎｔｉａｌ」等の機密情報を示す特定キーワードを検出したか否かで判断してもよい。これによれば、他ユーザーが、機密情報に関するジョブをログインユーザーの名前で実行した場合に限って、メール３０が送信される。
【００４２】
また、ユーザー情報１４１には、ユーザー（例えば顔）を撮影した画像データが含まれても良い。そして、制御部１９は、ユーザー情報１４１に基づいて、画像データからユーザーを検出するユーザー検出部として機能してもよい。この場合、撮像制御部１９３は、ログアウト処理が実行された場合だけでなく、ログインユーザーの最初のジョブが実行された場合の両方で、撮像部１２を制御して撮像させてもよい。
【００４３】
そして、ジョブ履歴送信部１９４は、最初のジョブが実行された場合に撮像部１２により撮像された撮像画像３１からユーザー検出部によって検出されたユーザーと、ログアウト処理が実行された場合に撮像部１２により撮像された撮像画像３１からユーザー検出部によって検出されたユーザーとが異なる場合に限って、メール３０を送信するようにしてもよい。これによれば、ログイン中に複数のジョブが実行された場合に、最初のジョブを実行したユーザーとログアウト処理が実行されたときのユーザーが異なる場合に制限されて、メール３０が送信される。つまり、明らかに不正使用されている場合に限ってメール３０を送信することができる。
【００４４】
なお、ログアウトしたユーザーの最後に実行されたジョブが機密情報を含むジョブである場合と、最初のジョブを実行したユーザーとログアウト処理が実行されたときのユーザーが異なる場合との少なくとも一方の条件に合致した場合に、メール３０が送信されても良い。また、ログアウトしたユーザーへの送信先はメールアドレスに限らず、ユーザーがアクセス可能な外部サーバー等のＵＲＬであってもよく、ログアウトしたユーザーがメール３０を確認できればよい。
【００４５】
本発明は上述した実施の形態に限定されるものではなく、本発明の趣旨を逸脱しない範囲で種々様々に変更が可能であることは言うまでもない。
【符号の説明】
【００４６】
１  画像形成装置
４ａ  支持部材
４ｂ  回動軸
１１  操作部
１２  撮像部
１３  原稿読取部
１４  記憶部
１５  画像処理部
１６  印刷部
１７  通信部
１８  ファクス部
１９  制御部
３０  メール
３１  撮像画像
１１１  タッチパネル
１１２  操作ボタン
１１２ａ  ログアウトボタン
１４１  ユーザー情報
１４２  ジョブ履歴
１９１  認証部
１９２  ジョブ管理部
１９３  撮像制御部
１９４  ジョブ履歴送信部
【図１】
2019055556.tif 000003
【図２】
2019055556.tif 000004
【図３】
2019055556.tif 000005
【図４】
2019055556.tif 000006
【図５】
2019055556.tif 000007